(57)【要約】【課題】手術の効率化を図るとともに、縫合糸の摩耗を抑制するスーチャーアンカーを提供する。【解決手段】スーチャーアンカー１０は、ねじ山１２が形成されるアンカー部１４と、アンカー部１４に接続され、縫合糸が貫通する貫通孔１６が形成されたスーチャー部１８とを有する。スーチャー部１８は、アンカー部１４に対して相対的に回転可能に接続される。この構成により、縫合糸の絡まりを防止し、術後の縫合糸の摩耗を抑制することができる。【選択図】図２
0003171890.tif 000002
【実用新案登録請求の範囲】
【請求項１】
ねじ山が形成されるアンカー部と、
アンカー部に接続され、縫合糸が貫通する貫通孔が形成されたスーチャー部と、
スーチャーアンカーにおいて、
スーチャー部は、アンカー部に対して相対的に回転可能に接続される、
ことを特徴とするスーチャーアンカー。
【請求項２】
請求項１に記載のスーチャーアンカーにおいて、
アンカー部の頭部には、径方向に張り出した張出部が設けられ、
スーチャー部には、前記張出部に嵌って引っ掛かる引掛部が設けられる、
ことを特徴とするスーチャーアンカー。
【請求項３】
請求項１または２に記載のスーチャーアンカーにおいて、
スーチャー部は、引掛部の外周に対して径方向外側から押え、引掛部の拡開を防止するリング状の拡開防止部を有する、
ことを特徴とするスーチャーアンカー。
【請求項４】
請求項１から３のいずれか１つに記載のスーチャーアンカーにおいて、
張出部は、固定部材を介してアンカー部本体に着脱可能に設けられ、
スーチャー部には、張出部が軸方向に貫通可能なように中空孔が形成され、
アンカー部本体とスーチャー部と張出部の順に軸方向に並べて、張出部を中空孔から挿入し引掛部に当接させた状態で固定部材によりアンカー部に固定する、
ことを特徴とするスーチャーアンカー。
【請求項５】
請求項１から４のいずれか１つに記載のスーチャーアンカーにおいて、
アンカー部の頭部には、スーチャーアンカーを打ち込むためのドライバに対応するドライバヘッドが形成される、
ことを特徴とするスーチャーアンカー。
【考案の詳細な説明】
【技術分野】
【０００１】
本考案は、縫合糸付きのアンカーを骨に打ち込んで、その縫合糸で軟部組織などを骨に固定するスーチャーアンカーに関する。
【背景技術】
【０００２】
従来から、縫合糸を用いて分離した靭帯などの軟部組織を骨に固定するスーチャーアンカーが知られている。スーチャーアンカーは、ねじ山が形成されるアンカー部と、アンカー部に接続され、縫合糸が貫通する貫通孔が形成されたスーチャー部とを有する。外科手術においては、予め縫合糸を貫通孔に貫通させた状態でスーチャーアンカーを骨に打ち込んで、その縫合糸により縫合された、壊れた靭帯などの軟部組織を骨に固定させる。
【０００３】
下記特許文献１には、ねじ山が形成された係合部材と、縫合糸を収容する縫合糸トンネルが形成されドライブヘッドとを有する縫合糸アンカーが記載されている。この縫合糸アンカーは、係合部材とドライブヘッドを一体に固定するように構成される。
【０００４】
下記特許文献２には、縫合糸穴と縫合糸溝穴が形成され、縫合糸が固定される差込み具と、空洞が形成され、差し込み具がその空洞に挿入されるアンカー留め部分とを有するアンカー本体が記載されている。このアンカー本体においては、差し込み具がアンカー留め部分の中に圧力嵌めされて、差し込み具とアンカー留め具が一体に固定される。
【０００５】
下記特許文献３には、本体と、縫合糸が通る孔が形成された栓部位とを有するアンカーが記載されている。このアンカーでは、栓部位が本体の穴内に挿入され、そこに接着剤を送ることで、本体と栓部位が一体に固定される。
【先行技術文献】
【特許文献】
【０００６】
【特許文献１】特表２００９−５０００８１号公報
【特許文献２】特表２０１０−５３２２０７号公報
【特許文献３】特表２００７−５３２２６９号公報
【考案の概要】
【考案が解決しようとする課題】
【０００７】
従来のスーチャーアンカーは、上述の各特許文献に記載されるように、ねじ山が形成されるアンカー部と、縫合糸が取り付けられるスーチャー部とを一体に固定して構成される。また、従来のスーチャーアンカーには、このアンカーを打ち込むためのドライバに対応するドライバヘッドがアンカー部又はスーチャー部のいずれかに形成される。
【０００８】
しかしながら、このようなスーチャーアンカーの構成では、骨へのアンカー打ち込み時、ドライバ操作により、スーチャーアンカーが軸回転するので、スーチャー部に取り付けられる縫合糸も回転して絡まってしまう可能性がある。縫合糸が絡まると、それを解かなければならず、手術の支障になる。
【０００９】
また、ドライバによるスーチャーアンカーの回転が終了しなければ、スーチャー部の貫通孔がどの方向に向くのか分からない。言い換えれば、骨に対するスーチャーアンカーの打ち込みが完了した際、スーチャー部の貫通孔がどの方向に向いているかが判明する。そうすると、縫合糸の縫合対象となる軟部組織（以下、縫合組織と記す）と貫通孔の一端との距離と、その縫合組織と貫通孔の他端との距離とが不均等になってしまう場合がある。この場合、縫合組織と貫通孔の一端との間の縫合糸と、縫合組織と貫通孔の他端との間の縫合糸との張力がそれぞれ異なるので、その張力を均等にすべく縫合糸自体が貫通孔をスライドしてスーチャー部に擦れてしまう。あるいは、術後における縫合組織の負荷は常に変動するので、上述のように縫合糸の各距離が不均等であり張力が異なる場合、その負荷変動に伴い、縫合糸が貫通孔をスライドすることで擦れて、縫合糸が摩耗してしまうという可能性がある。
【００１０】
本考案の目的は、手術の効率化を図るとともに、縫合糸の摩耗を抑制することができるスーチャーアンカーを提供することにある。
【課題を解決するための手段】
【００１１】
本考案は、ねじ山が形成されるアンカー部と、アンカー部に接続され、縫合糸が貫通する貫通孔が形成されたスーチャー部と、スーチャーアンカーにおいて、スーチャー部は、アンカー部に対して相対的に回転可能に接続されることを特徴とする。
【００１２】
また、アンカー部の頭部には、径方向に張り出した張出部が設けられ、スーチャー部には、前記張出部に嵌って引っ掛かる引掛部が設けられることができる。
【００１３】
また、スーチャー部は、引掛部の外周に対して径方向外側から押え、引掛部の拡開を防止するリング状の拡開防止部を有することができる。
【００１４】
また、張出部は、固定部材を介してアンカー部本体に着脱可能に設けられ、スーチャー部には、張出部が軸方向に貫通可能なように中空孔が形成され、アンカー部本体とスーチャー部と張出部の順に軸方向に並べて、張出部を中空孔から挿入し引掛部に当接させた状態で固定部材によりアンカー部に固定することができる。
【００１５】
また、アンカー部の頭部には、スーチャーアンカーを打ち込むためのドライバに対応するドライバヘッドが形成されることが好適である。
【考案の効果】
【００１６】
本考案のスーチャーアンカーによれば、手術の効率化を図るとともに、縫合糸の摩耗を抑制することができる。
【図面の簡単な説明】
【００１７】
【図１】本実施形態に係るスーチャーアンカーの構成を示す斜視図である。
【図２】スーチャーアンカーの側面図である。
【図３】アンカー部の側面図である。
【図４】スーチャー部の側面図である。
【図５】別の実施形態に係るスーチャーアンカーの構成を示す側面図である。
【図６】別の実施形態に係るスーチャーアンカーの構成を示す側面図である。
【図７】スーチャーアンカーの分解図である。
【考案を実施するための形態】
【００１８】
以下、本発明に係るスーチャーアンカーの実施形態について、図を用いて説明する。図１は、本実施形態に係るスーチャーアンカーの構成を示す図であり、図２は、スーチャーアンカーの側面図であり、図３は、アンカー部の側面図であり、図４は、スーチャー部の側面図である。
【００１９】
本実施形態のスーチャーアンカー１０は、皮質骨用のものであり、その骨にねじ込んで、縫合糸（図示せず）により損傷した腱、靭帯または筋肉等の軟部組織を縫合して、その骨に固定する外科用器具である。なお、本発明は皮質骨用のものに限定されず、軟部組織を固定し修復することができるのであれば、他の骨、例えば海綿骨用のものであってもよい。
【００２０】
スーチャーアンカー１０は、チタン合金などの生体適合性がある材質である。スーチャーアンカー１０の全長は例えば５〜７ｍｍ、外径は例えば２ｍｍである。スーチャーアンカー１０は、ねじ山１２が形成されるアンカー部１４と、アンカー部１４に接続され、縫合糸が貫通する貫通孔１６が形成されたスーチャー部１８とを有する。
【００２１】
本実施形態のスーチャーアンカー１０においては、スーチャー部１８が、アンカー部１４に対して相対的に回転可能に接続されることを特徴とする。
【００２２】
このようにスーチャー部１８がアンカー部１４に対して相対的に回転することにより、骨へのアンカー打ち込み時にアンカー部１４が回転しても、それとともにスーチャー部１８は回転しない。よって、スーチャー部１８に取り付けられた縫合糸同士が絡まってしまうことを防止することができる。その結果、絡まった縫合糸を解く作業が省略され、手術の効率化を図ることができる。
【００２３】
また、上述のような相対的に回転可能な構造にすることにより、骨に対するスーチャーアンカー１０の打ち込みが完了した後であっても、スーチャー部１８は、固定されたアンカー部１４に対して容易に回転することができる。例えば、スーチャー部１８は、縫合糸の縫合対象となる縫合組織と貫通孔１６の一端との距離と、その縫合組織と貫通孔１６の他端との距離とを均等にさせるように回転することができる。この回転により、これらの縫合糸の張力がそれぞれ均等になり、縫合糸による貫通孔１６のスライドが防止されて縫合糸の摩耗を抑制することができる。また、術後において縫合組織の負荷が変動し、縫合糸の各距離が不均等になり張力が異なった場合であっても、その負荷変動に伴い、スーチャー部１８が回転して、それらの張力を均等にさせることができる。その結果、縫合糸自体が貫通孔１６をスライドしてしまうことが抑制され、スーチャー部１８との擦れによる縫合糸の摩耗を抑制することができる。
【００２４】
次に、スーチャーアンカー１０の具体的な構造について説明する。アンカー部１４は、これの頭部１４ａ、すなわちねじ山１２の後方部に、図３に示されるように、径方向に張り出した張出部２０を有する。張出部２０は、断面略Ｔ字形状である。そして、アンカー部１４の頭部１４ａであって、張出部２０とねじ山１２との間には、スーチャーアンカー１０を打ち込むためのドライバ（図示せず）に対応するドライバヘッド２２が形成される。ドライバヘッド２２の対辺は、スーチャー部１８の外径より大きく、例えば六角ナット状に形成される。これにより、ドライバは、ドライバヘッド２２より後方に位置するスーチャー部１８に遮られることなく、ドライバヘッド２２に接続することができる。
【００２５】
スーチャー部１８は、アンカー部１４の後方に位置し、略円筒形状である。スーチャー部１８の前方端、すなわちアンカー部１４側には、張出部２０に嵌って引っ掛かる引掛部２４が４箇所設けられる。引掛部２４は、円筒形状のスーチャー部１８本体から径方向内側に突出して形成される。そして、互いに隣接する引掛部２４の間には、軸方向にスリットが形成されている。各引掛部２４を結ぶ内径は、張出部２０の外径より小さく、張出部２０とドライバヘッド２２を結ぶ棒状部の外径より大きい。この構成により、スーチャー部１８をアンカー部１４に取り付けるとき、張出部２０に当接した引掛部２４がそれぞれ径方向外側に拡開し、その後、張出部２０を乗り越えると径方向内側に閉じて、張出部２０と引掛部２４とが回転自在に係合する。なお、引掛部２４の数は一例であって、本考案は引掛部２４の数４個に限定されない。
【００２６】
このように、張出部２０と引掛部２４とが回転自在に係合することにより、スーチャー部１８は、アンカー部１４からの離隔が防止されるとともに、軸を中心に、アンカー部１４に対して相対的に回転可能になる。
【００２７】
次に、別の実施形態に係るスーチャーアンカー３０について、図５を用いて説明する。なお、上記実施形態と同じ構成要素については同一の符号を付し、詳細な説明は省略する。
【００２８】
スーチャー部１８は、引掛部２４の外周に対して径方向外側から押え、引掛部２４の拡開を防止するリング状の拡開防止部３２を有する。この拡開防止部３２は、スーチャー部１８がアンカー部１４に取り付けられた後に、引掛部２４の外周に取り付けられる。具体的には、拡開防止部３２は、ワイヤ状のものを引掛部２４の外周に形成される溝に巻きつけて、引掛部２４の拡開を防止する。
【００２９】
この構成により、スーチャーアンカー１０の使用時において、縫合糸の張力などによって引掛部２４が外側に撓んで張出部２０との係合が解除されてしまい、スーチャー部１８がアンカー部１４から外れてしまうことを確実に防止することができる。
【００３０】
続いて、さらに別の実施形態に係るスーチャーアンカー４０について、図６，７を用いて説明する。図６は、別の実施形態に係るスーチャーアンカー４０の構成を示す側面図であり、図７は、スーチャーアンカー４０の分解図である。なお、上記実施形態と同じ構成要素については同一の符号を付し、詳細な説明は省略する。
【００３１】
この実施形態の張出部２０は、固定部材（図示せず）を介してアンカー部１４に着脱可能に設けられる。具体的には、張出部２０に固定部材が貫通する孔４２が形成されるとともに、アンカー部１４本体にも同様の孔４４が形成される。そして、張出部２０の孔４２とアンカー部１４本体の孔４４とを一致させるように互いに取り付け、固定部材をそれらの孔４２，４４に連通させることにより、張出部２０がアンカー部１４本体に固定される。
【００３２】
また、スーチャー部１８には、張出部２０が軸方向に貫通可能なように中空孔１８ａが形成されている。具体的には、中空孔１８ａは、張出部２０がスーチャー部１８の後方から挿入可能なように、張出部２０の外径より大きく形成される。
【００３３】
そして、スーチャー部１８の前方端、すなわちアンカー部１４側には、張出部２０に嵌って引っ掛かる引掛部２４が設けられる。引掛部２４は、円筒形状のスーチャー部１８本体から径方向内側に突出して形成される。しかし、本実施形態の引掛部２４は、上記の実施形態のものと異なり、軸方向にスリットは形成されていない。
【００３４】
このように構成されるスーチャーアンカー４０の組み立て方法について、図７を用いて説明する。まず、各部材は、軸方向に、アンカー部１４本体、スーチャー部１８そして張出部２０の順に並べられる。そして、張出部２０を中空孔１８ａから挿入し引掛部２４に当接させる。この状態のまま、張出部２０をアンカー部１４本体に取り付け、各孔４２，４４に固定部材を連通させて一体化させる。つまり、本実施形態のスーチャーアンカー４０は、スーチャー部１８の引掛部２４が、アンカー部１４本体と張出部２０で回転可能に挟まれるように構成される。
【符号の説明】
【００３５】
１０，３０，４０  スーチャーアンカー、１２  ねじ山、１４  アンカー部、１６  貫通孔、１８  スーチャー部、２０  張出部、２２  ドライバヘッド、２４  引掛部。
【図１】
0003171890.tif 000003
【図２】
0003171890.tif 000004
【図３】
0003171890.tif 000005
【図４】
0003171890.tif 000006
【図５】
0003171890.tif 000007
【図６】
0003171890.tif 000008
【図７】
0003171890.tif 000009
【手続補正書】
【提出日】平成23年9月26日(2011.9.26)
【手続補正１】
【補正対象書類名】実用新案登録請求の範囲
【補正対象項目名】全文
【補正方法】変更
【補正の内容】
【実用新案登録請求の範囲】
【請求項１】
ねじ山が形成されるアンカー部と、
アンカー部に接続され、縫合糸が貫通する貫通孔が形成されたスーチャー部と、
を有するスーチャーアンカーにおいて、
アンカー部の頭部には、径方向に張り出した張出部が設けられ、
スーチャー部には、前記張出部に嵌って引っ掛かる引掛部が設けられ、
スーチャー部は、アンカー部に対して相対的に回転可能に接続される、
ことを特徴とするスーチャーアンカー。
【請求項２】
請求項１に記載のスーチャーアンカーにおいて、
スーチャー部は、引掛部の外周に対して径方向外側から押え、引掛部の拡開を防止するリング状の拡開防止部を有する、
ことを特徴とするスーチャーアンカー。
【請求項３】
請求項１または２に記載のスーチャーアンカーにおいて、
張出部は、固定部材を介してアンカー部本体に着脱可能に設けられ、
スーチャー部には、張出部が軸方向に貫通可能なように中空孔が形成され、
アンカー部本体とスーチャー部と張出部の順に軸方向に並べて、張出部を中空孔から挿入し引掛部に当接させた状態で固定部材によりアンカー部に固定する、
ことを特徴とするスーチャーアンカー。
【請求項４】
請求項１から３のいずれか１つに記載のスーチャーアンカーにおいて、
アンカー部の頭部には、スーチャーアンカーを打ち込むためのドライバに対応するドライバヘッドが形成される、
ことを特徴とするスーチャーアンカー。